(57)【要約】【課題】短時間、小容量データであっても日々の繰り返しにより多額になる電話料金を低減する【解決手段】電話番号を登録する電話帳１１０と、着信した電話番号が電話帳１１０に登録されているか否かを比較する電話番号比較部１１３と、着信時から切断時までの呼出音の呼出回数に対応するメッセージを記憶する表示メッセージ記憶部１１１と、呼出回数の設定値を記憶する呼出回数設定値記憶部１１２と、呼出回数をカウントする呼出回数カウント部１１５と、呼出回数カウント部１１５でカウントした呼出回数のカウント値と呼出回数設定値記憶１１２による設定値とを比較する呼出回数比較部１１４と、を備える携帯電話機。【選択図】      図１
2004207834.tif 000002
【特許請求の範囲】
【請求項１】
登録されている電話番号からの呼出音の開始から終了までの呼出回数又は呼出時間をカウントしてカウント値とし、
前記カウント値に応じてメッセージを表示することを特徴とする携帯電話機。
【請求項２】
電話番号を登録する電話番号登録手段と、
着信した電話番号が前記電話番号登録手段に登録されているか否かを比較する電話番号比較手段と、
前記着信から切断までにおける呼出音の呼出回数に応じて表示するメッセージを記憶する表示メッセージ記憶手段と、
前記呼出回数の設定値を記憶する呼出回数設定値記憶手段と、
前記呼出回数をカウントしてカウント値とする呼出回数カウント手段と、
前記カウント値と前記設定値とを比較する呼出回数比較手段と、を備え、
前記着信した電話番号が前記電話番号登録手段に登録されており、前記設定値に対する前記カウント値の多少に応じて前記メッセージを表示することを特徴とする携帯電話機。
【請求項３】
前記呼出回数設定値記憶手段が複数個の設定値を記憶し、前記表示メッセージ記憶手段が複数個のメッセージを記憶し、前記複数個の設定値のそれぞれに対応させて前記複数個のメッセージから１個を選択して表示することを特徴とする請求項２に記載の携帯電話機。
【請求項４】
前記呼出回数設定値記憶手段が複数個の設定値を記憶し、前記表示メッセージ記憶手段が複数個のメッセージを記憶し、前記複数個の設定値と前記カウント値とを順次比較し、前記複数個のメッセージから１個を選択して表示することを特徴とする請求項２に記載の携帯電話機。
【請求項５】
前記電話番号登録手段に登録されている電話番号毎に前記設定値を記憶し、前記設定値に対する前記カウント値の多少に応じて前記メッセージを表示することを特徴とする請求項２に記載の携帯電話機。
【請求項６】
電話番号を登録する電話番号登録手段と、
着信した電話番号が前記電話番号登録手段に登録されているか否かを比較する電話番号比較手段と、
前記着信から切断までにおける呼出音の呼出時間に応じて表示するメッセージを記憶する表示メッセージ記憶手段と、
前記呼出時間の呼出時間設定値を記憶する呼出時間設定値記憶手段と、
前記呼出時間をカウントして呼出時間カウント値とする呼出時間カウント手段と、
前記呼出時間カウント値と前記呼出時間設定値とを比較する呼出回数比較手段と、を備え、
前記着信した電話番号が前記電話番号登録手段に登録されており、前記呼出時間設定値に比較した前記呼出時間カウント値の多少に応じて前記メッセージを表示することを特徴とする携帯電話機。
【請求項７】
前記呼出時間設定値記憶手段が複数個の呼出時間設定値を記憶し、前記表示メッセージ記憶手段が複数個のメッセージを記憶し、前記複数個の呼出時間設定値のそれぞれに対応させて前記複数個のメッセージから１個を選択して表示することを特徴とする請求項６に記載の携帯電話機。
【請求項８】
前記呼出時間設定値記憶手段が複数個の呼出時間設定値を記憶し、前記表示メッセージ記憶手段が複数個のメッセージを記憶し、前記複数個の呼出時間設定値と前記カウント値とを順次比較し、前記複数個のメッセージから１個を選択して表示することを特徴とする請求項６に記載の携帯電話機。
【請求項９】
前記電話番号登録手段に登録されている電話番号毎に前記呼出時間設定値を記憶し、前記呼出時間設定値に対する前記カウント値の多少に応じて前記メッセージを表示することを特徴とする請求項６に記載の携帯電話機。
【請求項１０】
登録されている電話番号からの呼出音の開始から終了までの呼出回数又は呼出時間をカウントしてカウント値とするカウントステップと、
前記カウント値に応じてメッセージを表示するメッセージ表示ステップと、
を備えることを特徴とする携帯電話機のメッセージ表示方法。
【請求項１１】
電話番号が登録されている発信側からの着信で呼出音が発生するステップと、
通話又はメールを受信する前に前記発信側が切断して前記呼出音が停止するステップと、
前記発生から前記停止までにおける前記呼出音に応じてメッセージを表示するステップと、
を備えることを特徴とする携帯電話機のメッセージ表示方法。
【請求項１２】
着信した電話番号が登録されているか否かを比較する電話番号比較ステップと、
前記電話番号が登録されていれば、前記電話番号と被登録人の名前を表示する電話番号表示ステップと、
前記着信から切断までにおける呼出音の呼出回数をカウントしてカウント値とするカウントステップと、
前記カウント値と予め定められた呼出回数の設定値とを比較する呼出回数比較ステップと、
前記設定値に対する前記カウント値の多少に応じて予め記憶してあるメッセージを表示するメッセージ表示ステップと、
を備えることを特徴とする携帯電話機のメッセージ表示方法。
【請求項１３】
着信した電話番号が登録されているか否かを比較する電話番号比較ステップと、
前記電話番号が登録されていれば、前記電話番号と被登録人の名前を表示する電話番号表示ステップと、
前記着信から切断までにおける呼出音の呼出回数をカウントしてカウント値とするカウントステップと、
前記カウント値と予め定められた呼出回数の複数個の設定値とを順次比較する呼出回数比較ステップと、
前記複数個の設定値に対する前記カウント値の多少に応じて予め記憶してある複数個のメッセージから１個を選択して表示するメッセージ表示ステップと、
を備えることを特徴とする携帯電話機のメッセージ表示方法。
【請求項１４】
着信した電話番号が登録されているか否かを比較する電話番号比較ステップと、
前記電話番号が登録されていれば、前記電話番号と被登録人の名前を表示する電話番号表示ステップと、
前記着信から切断までにおける呼出音の呼出時間をカウントして呼出時間カウント値とする呼出時間カウントステップと、
前記呼出時間カウント値と予め定められた呼出時間の呼出時間設定値とを比較する呼出時間比較ステップと、
前記呼出時間設定値に対する前記呼出時間カウント値の多少に応じて予め記憶してあるメッセージを表示するメッセージ表示ステップと、
を備えることを特徴とする携帯電話機のメッセージ表示方法。
【請求項１５】
着信した電話番号が登録されているか否かを比較する電話番号比較ステップと、
前記電話番号が登録されていれば、前記電話番号と被登録人の名前を表示する電話番号表示ステップと、
前記着信から切断までにおける呼出音の呼出時間をカウントして呼出時間カウント値とする呼出時間カウントステップと、
前記呼出時間カウント値と予め定められた呼出時間の複数個の呼出時間設定値とを順次比較する呼出時間比較ステップと、
前記複数個の呼出時間設定値に対する前記呼出時間カウント値の多少に応じて予め記憶してある複数個のメッセージから１個を選択して表示するメッセージ表示ステップと、
を備えることを特徴とする携帯電話機のメッセージ表示方法。
【請求項１６】
携帯電話機の制御装置のコンピュータに、
着信した電話番号が登録されているか否かを比較する電話番号比較ステップと、
前記電話番号が登録されていれば、前記電話番号と被登録人の名前を表示する電話番号表示ステップと、
前記着信から切断までにおける呼出音の呼出回数をカウントしてカウント値とするカウントステップと、
前記カウント値と予め定められた呼出回数の設定値とを比較する呼出回数比較ステップと、
前記設定値に対する前記カウント値の多少に応じて予め記憶してあるメッセージを表示するメッセージ表示ステップと、
を実行させるための携帯電話機のメッセージ表示プログラム。
【請求項１７】
携帯電話機の制御装置のコンピュータに、
着信した電話番号が登録されているか否かを比較する電話番号比較ステップと、
前記電話番号が登録されていれば、前記電話番号と被登録人の名前を表示する電話番号表示ステップと、
前記着信から切断までにおける呼出音の呼出回数をカウントしてカウント値とするカウントステップと、
前記カウント値と予め定められた呼出回数の複数個の設定値とを順次比較する呼出回数比較ステップと、
前記複数個の設定値に対する前記カウント値の多少に応じて予め記憶してある複数個のメッセージから１個を選択して表示するメッセージ表示ステップと、
を実行させるための携帯電話機のメッセージ表示プログラム。
【請求項１８】
携帯電話機の制御装置のコンピュータに、
着信した電話番号が登録されているか否かを比較する電話番号比較ステップと、
前記電話番号が登録されていれば、前記電話番号と被登録人の名前を表示する電話番号表示ステップと、
前記着信から切断までにおける呼出音の呼出時間をカウントして呼出時間カウント値とする呼出時間カウントステップと、
前記呼出時間カウント値と予め定められた呼出時間の呼出時間設定値とを比較する呼出時間比較ステップと、
前記呼出時間設定値に対する前記呼出時間カウント値の多少に応じて予め記憶してあるメッセージを表示するメッセージ表示ステップと、
を実行させるための携帯電話機のメッセージ表示プログラム。
【請求項１９】
携帯電話機の制御装置のコンピュータに、
着信した電話番号が登録されているか否かを比較する電話番号比較ステップと、
前記電話番号が登録されていれば、前記電話番号と被登録人の名前を表示する電話番号表示ステップと、
前記着信から切断までにおける呼出音の呼出時間をカウントして呼出時間カウント値とする呼出時間カウントステップと、
前記呼出時間カウント値と予め定められた呼出時間の複数個の呼出時間設定値とを順次比較する呼出時間比較ステップと、
前記複数個の呼出時間設定値に対する前記呼出時間カウント値の多少に応じて予め記憶してある複数個のメッセージから１個を選択して表示するメッセージ表示ステップと、
を実行させるための携帯電話機のメッセージ表示プログラム。
【発明の詳細な説明】
【０００１】
【発明の属する技術分野】
本発明は携帯電話機に関し、特に着信時の呼出鳴音の回数に応じてメッセージを表示する携帯電話、そのメッセージ表示方法及びプログラムに関する。
【０００２】
【従来の技術】
携帯電話の普及率は近年目覚しいものがあり、１０代後半から３０、４０代においては多くの人が所有している。このような状況になってくると家にいても家庭に設置されている固定電話を使わずに携帯電話を使用するケースが増えている。それは、通話したい本人に確実に接続することができるためである。また、メール機能が付加されたことにより簡単な（簡単でないものも含む）伝言、メッセージを通話でなく文字データにより通信することが行われるようになっている。携帯電話を使って日常的、定期的に繰り返す連絡（例えば、会社、学校から家へ帰ることを連絡する“帰るコール”など）をする場合、通話すると１回毎は短い会話であっても毎日発生することで費用がかかってしまう。また、安価なメール機能を使用しても毎日発生することで費用がかさむというデメリットは回避できない。本発明では、これらの使い勝手を改善するために、電話が掛かってきて、通話を開始する前に発信者側からの切断あった場合に、ある条件を満たした時に、通話あるいはメール等のデータを受信しなくても、あらかじめ決められたメッセージを表示情報として表示部に表示させることができるという特徴を有している。
【０００３】
【特許文献１】
特開２０００−３２１２２号公報（特許請求の範囲、図３〜５）
【０００４】
【発明が解決しようとする課題】
携帯電話の使用で頻繁に行われる、日常的な繰り返し連絡は、１回１回の費用は安いものの長期間でみると多額になってしまう。また、メール等で定型文を準備しておくといった方法もあるが、当然ながら通信費は発生する。また、スイッチ操作でいくつものボタンを押さなければならなく、忙しい時や運転中の信号待ち、歩きながらの場合には使い勝手が悪いというデメリットがある。本発明は、これらの使い勝手を改善し、短時間、小容量データであっても日々の繰り返しにより多額になる電話料金を低減することを目的とする。
【０００５】
【課題を解決するための手段】
本発明の携帯電話機は、登録されている電話番号からの呼出音の開始から終了までの呼出回数又は呼出時間をカウントしてカウント値とし、前記カウント値に応じてメッセージを表示することを特徴とする。
【０００６】
本発明の携帯電話機は、電話番号を登録する電話番号登録手段と、着信した電話番号が前記電話番号登録手段に登録されているか否かを比較する電話番号比較手段と、前記着信から切断までにおける呼出音の呼出回数に応じて表示するメッセージを記憶する表示メッセージ記憶手段と、前記呼出回数の設定値を記憶する呼出回数設定値記憶手段と、前記呼出回数をカウントしてカウント値とする呼出回数カウント手段と、前記カウント値と前記設定値とを比較する呼出回数比較手段と、を備え、前記着信した電話番号が前記電話番号登録手段に登録されており、前記設定値に対する前記カウント値の多少に応じて前記メッセージを表示することを特徴とする。
【０００７】
本発明の携帯電話機は、前記呼出回数設定値記憶手段が複数個の設定値を記憶し、前記表示メッセージ記憶手段が複数個のメッセージを記憶し、前記複数個の設定値のそれぞれに対応させて前記複数個のメッセージから１個を選択して表示することを特徴とする。
【０００８】
本発明の携帯電話機は、前記呼出回数設定値記憶手段が複数個の設定値を記憶し、前記表示メッセージ記憶手段が複数個のメッセージを記憶し、前記複数個の設定値と前記カウント値とを順次比較し、前記複数個のメッセージから１個を選択して表示することを特徴とする。
【０００９】
本発明の携帯電話機は、前記電話番号登録手段に登録されている電話番号毎に前記設定値を記憶し、前記設定値に対する前記カウント値の多少に応じて前記メッセージを表示することを特徴とする。
【００１０】
本発明の携帯電話機は、電話番号を登録する電話番号登録手段と、着信した電話番号が前記電話番号登録手段に登録されているか否かを比較する電話番号比較手段と、前記着信から切断までにおける呼出音の呼出時間に応じて表示するメッセージを記憶する表示メッセージ記憶手段と、前記呼出時間の呼出時間設定値を記憶する呼出時間設定値記憶手段と、前記呼出時間をカウントして呼出時間カウント値とする呼出時間カウント手段と、前記呼出時間カウント値と前記呼出時間設定値とを比較する呼出回数比較手段と、を備え、前記着信した電話番号が前記電話番号登録手段に登録されており、前記呼出時間設定値に比較した前記呼出時間カウント値の多少に応じて前記メッセージを表示することを特徴とする。
【００１１】
本発明の携帯電話機は、前記呼出時間設定値記憶手段が複数個の呼出時間設定値を記憶し、前記表示メッセージ記憶手段が複数個のメッセージを記憶し、前記複数個の呼出時間設定値のそれぞれに対応させて前記複数個のメッセージから１個を選択して表示することを特徴とする。
【００１２】
本発明の携帯電話機は、前記呼出時間設定値記憶手段が複数個の呼出時間設定値を記憶し、前記表示メッセージ記憶手段が複数個のメッセージを記憶し、前記複数個の呼出時間設定値と前記カウント値とを順次比較し、前記複数個のメッセージから１個を選択して表示することを特徴とする。
【００１３】
本発明の携帯電話機は、前記電話番号登録手段に登録されている電話番号毎に前記呼出時間設定値を記憶し、前記呼出時間設定値に対する前記カウント値の多少に応じて前記メッセージを表示することを特徴とする。
【００１４】
本発明の携帯電話機のメッセージ表示方法は、登録されている電話番号からの呼出音の開始から終了までの呼出回数又は呼出時間をカウントしてカウント値とするカウントステップと、前記カウント値に応じてメッセージを表示するメッセージ表示ステップと、を備えることを特徴とする。
【００１５】
本発明の携帯電話機のメッセージ表示方法は、電話番号が登録されている発信側からの着信で呼出音が発生するステップと、通話又はメールを受信する前に前記発信側が切断して前記呼出音が停止するステップと、前記発生から前記停止までにおける前記呼出音に応じてメッセージを表示するステップと、を備えることを特徴とする。
【００１６】
本発明の携帯電話機のメッセージ表示方法は、着信した電話番号が登録されているか否かを比較する電話番号比較ステップと、前記電話番号が登録されていれば、前記電話番号と被登録人の名前を表示する電話番号表示ステップと、前記着信から切断までにおける呼出音の呼出回数をカウントしてカウント値とするカウントステップと、前記カウント値と予め定められた呼出回数の設定値とを比較する呼出回数比較ステップと、前記設定値に対する前記カウント値の多少に応じて予め記憶してあるメッセージを表示するメッセージ表示ステップと、を備えることを特徴とする。
【００１７】
本発明の携帯電話機のメッセージ表示方法は、着信した電話番号が登録されているか否かを比較する電話番号比較ステップと、前記電話番号が登録されていれば、前記電話番号と被登録人の名前を表示する電話番号表示ステップと、前記着信から切断までにおける呼出音の呼出回数をカウントしてカウント値とするカウントステップと、前記カウント値と予め定められた呼出回数の複数個の設定値とを順次比較する呼出回数比較ステップと、前記複数個の設定値に対する前記カウント値の多少に応じて予め記憶してある複数個のメッセージから１個を選択して表示するメッセージ表示ステップと、を備えることを特徴とする。
【００１８】
本発明の携帯電話機のメッセージ表示方法は、着信した電話番号が登録されているか否かを比較する電話番号比較ステップと、前記電話番号が登録されていれば、前記電話番号と被登録人の名前を表示する電話番号表示ステップと、前記着信から切断までにおける呼出音の呼出時間をカウントして呼出時間カウント値とする呼出時間カウントステップと、前記呼出時間カウント値と予め定められた呼出時間の呼出時間設定値とを比較する呼出時間比較ステップと、前記呼出時間設定値に対する前記呼出時間カウント値の多少に応じて予め記憶してあるメッセージを表示するメッセージ表示ステップと、を備えることを特徴とする。
【００１９】
本発明の携帯電話機のメッセージ表示方法は、着信した電話番号が登録されているか否かを比較する電話番号比較ステップと、前記電話番号が登録されていれば、前記電話番号と被登録人の名前を表示する電話番号表示ステップと、前記着信から切断までにおける呼出音の呼出時間をカウントして呼出時間カウント値とする呼出時間カウントステップと、前記呼出時間カウント値と予め定められた呼出時間の複数個の呼出時間設定値とを順次比較する呼出時間比較ステップと、前記複数個の呼出時間設定値に対する前記呼出時間カウント値の多少に応じて予め記憶してある複数個のメッセージから１個を選択して表示するメッセージ表示ステップと、を備えることを特徴とする。
【００２０】
本発明の携帯電話機のメッセージ表示プログラムは、携帯電話機の制御装置のコンピュータに、着信した電話番号が登録されているか否かを比較する電話番号比較ステップと、前記電話番号が登録されていれば、前記電話番号と被登録人の名前を表示する電話番号表示ステップと、前記着信から切断までにおける呼出音の呼出回数をカウントしてカウント値とするカウントステップと、前記カウント値と予め定められた呼出回数の設定値とを比較する呼出回数比較ステップと、前記設定値に対する前記カウント値の多少に応じて予め記憶してあるメッセージを表示するメッセージ表示ステップと、を実行させる。
【００２１】
本発明の携帯電話機のメッセージ表示プログラムは、携帯電話機の制御装置のコンピュータに、着信した電話番号が登録されているか否かを比較する電話番号比較ステップと、前記電話番号が登録されていれば、前記電話番号と被登録人の名前を表示する電話番号表示ステップと、前記着信から切断までにおける呼出音の呼出回数をカウントしてカウント値とするカウントステップと、前記カウント値と予め定められた呼出回数の複数個の設定値とを順次比較する呼出回数比較ステップと、前記複数個の設定値に対する前記カウント値の多少に応じて予め記憶してある複数個のメッセージから１個を選択して表示するメッセージ表示ステップと、を実行させる。
【００２２】
本発明の携帯電話機のメッセージ表示プログラムは、携帯電話機の制御装置のコンピュータに、着信した電話番号が登録されているか否かを比較する電話番号比較ステップと、前記電話番号が登録されていれば、前記電話番号と被登録人の名前を表示する電話番号表示ステップと、前記着信から切断までにおける呼出音の呼出時間をカウントして呼出時間カウント値とする呼出時間カウントステップと、前記呼出時間カウント値と予め定められた呼出時間の呼出時間設定値とを比較する呼出時間比較ステップと、前記呼出時間設定値に対する前記呼出時間カウント値の多少に応じて予め記憶してあるメッセージを表示するメッセージ表示ステップと、を実行させる。
【００２３】
本発明の携帯電話機のメッセージ表示プログラムは、携帯電話機の制御装置のコンピュータに、着信した電話番号が登録されているか否かを比較する電話番号比較ステップと、前記電話番号が登録されていれば、前記電話番号と被登録人の名前を表示する電話番号表示ステップと、前記着信から切断までにおける呼出音の呼出時間をカウントして呼出時間カウント値とする呼出時間カウントステップと、前記呼出時間カウント値と予め定められた呼出時間の複数個の呼出時間設定値とを順次比較する呼出時間比較ステップと、前記複数個の呼出時間設定値に対する前記呼出時間カウント値の多少に応じて予め記憶してある複数個のメッセージから１個を選択して表示するメッセージ表示ステップと、を実行させる。
【００２４】
【発明の実施の形態】
第１の実施形態：次に、本発明の第１の実施形態について図面を参照して詳細に説明する。
【００２５】
図１は、本発明の一実施例のブロック図である。
【００２６】
携帯電話機１０は、無線部１０１から受信した復調信号を制御部１０２を介し、音声信号に変換した後、レシーバ１０３、マイク１０４及びスピーカ１０５を使用して通話する。電話番号を押下時や、メールを作成、送付する時、他の機能を選択する時は、テンキースイッチや各機能毎に割り振られたスイッチ１０６を操作することで行う。また、表示情報は表示用ドライブ回路１０７を介して、表示部１０８に表示を行い、メッセージ情報や電話番号情報（電話帳）はメモリ１０９に記憶する。メモリ１０９は、電話帳１１０（電話番号登録手段）、表示メッセージ記憶部１１１、呼出回数設定値記憶部１１２を含む。
【００２７】
表示メッセージ記憶部１１１は、携帯電話機１０の所有者が電話帳１１０に登録してある人と事前に申し合わせておき、着信から切断までの呼出回数に対応するように作成されたメッセージを記憶する記憶部である。
【００２８】
本発明では、着信した呼出の電話番号と電話帳１１０に登録されている電話番号とを比較して登録されているか否かを出力する電話番号比較部１１３を有しており、着信毎に電話番号の比較を行う。
【００２９】
また、本発明の機能を作動させるための着信音呼出回数の設定値（呼出音が何回鳴ったら、本発明の動作を行うかの鳴音回数を設定）を記憶しておく呼出回数設定値記憶部１１２と、着信後の着信を知らせる呼出音が着信から切断までに何回鳴音するかをカウントする呼出音数カウント部１１５を有し、この呼出音の鳴音回数である呼出回数のカウント値Ｎと呼出音数設定値記憶部１１２に記憶された呼出音数の設定値Ｒを比較する呼出回数比較部１１４を有する。呼出回数比較部１１４では、呼出が発信者から切断され、かつ、呼出回数の設定値Ｒ≧実際の呼出回数のカウント値Ｎだった時に制御部１０２へ信号を送出し、本発明の機能（設定値Ｒに対するカウント値Ｎの多少に応じてメッセージを表示する）を作動させる。
【００３０】
制御部１０２は、例えばパーソナルコンピュータ等の情報処理装置であり、記憶部が記憶するプログラムに従って動作するもので、図に示すフローチャートなどをプログラム化した動作を実行させる。
【００３１】
次に、本発明の実施の形態の動作について図面を参照して説明する。本発明による携帯電話機１０の一実施例の動作について説明する。
【００３２】
図２は、本発明の一実施例のフローチャートである。
【００３３】
スタート（ステップＳ２０１）から、携帯電話機１０は待ち受け状態（ステップＳ２０２）にある。携帯電話機１０が他の電話からの呼出により着信があると（ステップＳ２０３でＹ）。着信した電話番号が、携帯電話機１０の電話帳１１０に登録されているものか電話番号比較部１１３で比較し（ステップＳ２０４）、電話帳１１０に登録されている電話番号の場合（ステップＳ２０４でＹ）は、表示部１０８にその電話番号と電話帳１１０に登録されている人の名前（被登録人名）を表示する（ステップＳ２０５）。電話帳１１０に登録されていなかった場合（ステップＳ２０４でＮ）は、電話番号のみ（或いは公衆電話、非通知などのこともある。）を表示部１０８に表示する（ステップＳ２０６）。また、鳴音（或いはバイブレータの振動、ＬＥＤの点灯）が起動する（ステップＳ２０７）。そして携帯電話機１０では呼出回数のカウントを開始する（ステップＳ２０８）。
【００３４】
その後、発信側から切断があった場合（ステップＳ２０９でＹ）、携帯電話機１０では、呼出鳴音を停止（ステップＳ２１０）して呼出鳴音回数をカウントする（ステップＳ２１１）。発信者側からの切断がなかった（ステップＳ２０９でＮ）時は、呼出鳴音を継続する（ステップＳ２１４）。呼出回数のカウントでは、鳴音開始（着信時）から発信者側からの切断までの呼出回数をカウントし、このカウント値Ｎが、あらかじめ呼出回数設定値記憶部１１２に設定されている設定値Ｒと比較される（ステップＳ２１１）。通常、設定値Ｒは数回程度に設定されている。カウント値Ｎが、設定値Ｒ以下だった（Ｎ≦Ｒ）場合（ステップＳ２１１でＹ）は、携帯電話機１０は以下のように動作する。携帯電話機１０の所有者があらかじめ作成してあるメッセージ３０８（図３参照）をその前から表示されている発信した電話番号、名前と一緒に表示する。（図３（ａ）のような表示になる。）
このメッセージは携帯電話機１０の所有者が電話帳１１０に登録してある人（被登録人）と事前に申し合わせておき、メッセージを作成して表示メッセージ記憶部１１１に記憶しておく。
【００３５】
カウント値Ｎの方が、設定値Ｒよりも多かった（Ｎ＞Ｒ）場合（ステップＳ２１１でＮ）は、メッセージを表示せずに、携帯電話機１０は電話番号と名前のみを表示したまま（ステップＳ２１３）となる。（図３（ｂ）のような表示になる。）
ステップＳ２０９で、電話の呼出音が鳴っているときに、発信者側から切断がなかったら（ステップＳ２０９でＮの場合）、呼出鳴音は鳴り続け（ステップＳ２１４）、受け側で通話開始ボタンを押し、通話開始するまで（ステップＳ２１５でＹ）鳴音し続ける。通話を開始すると、通話をした後（ステップＳ２１６）に、発信側あるいは、受け側から切断して通話を終了し（ステップＳ２１７）、待ちうけ状態に戻る。
【００３６】
図３は、本発明の一実施例の画面表示例である。本発明の、呼出を受け（着信時）、発信者側から切断された時の着信表示例である。
【００３７】
図３（ａ）は、呼出回数のカウント値Ｎが、設定値Ｒ以下だった場合（Ｎ≦Ｒ）の着信表示例である。３０１は表示エリアであり、この範囲に表示情報が表示される。電波状態を示すＡＮＴバーや電池レベル表示を示すアイコン３０２が表示される。着信情報として、現在時刻３０３が表示され、着信時の状態３０４、発信者の名前３０５、発信電話番号３０６、着信時刻３０７等が着信情報として表示される。本発明は、更に所有者があらかじめ電話帳１１０の電話番号毎に登録しておくメッセージ３０８を表示する表示エリア３０１を持ち、メッセージ３０８を表示する。
【００３８】
図３（ｂ）は、呼出回数のカウント値Ｎが、設定値Ｒよりも多かった（Ｎ＞Ｒ）時の表示例である。３５１は表示エリアでありこの範囲に表示情報が表示される。電波状態を示すＡＮＴバーや電池レベル表示を示すアイコン３５２が表示される。情報として現在時刻３５３が表示され、着信時の状態３５４、発信者の名前３５５、発信した電話番号３５６、着信時刻３５７等が着信情報として表示される。ここまでは、図３（ａ）の呼出回数のカウント値Ｎが、設定値Ｒ以下（Ｎ≦Ｒ）の場合と同じである。本発明では、更に所有者があらかじめ電話帳１１０の電話番号毎に登録しておくメッセージを表示する表示エリア３５１を持つが、この図の３−２の例では条件を満たさない場合なのでメッセージ３０８は表示されない。
【００３９】
なお、電話帳１１０に登録されている電話番号毎に表示メッセージ記憶部１１１に記憶されているメッセージを表示することも可能である。
【００４０】
第２の実施形態：図４は、本発明の第２の実施形態のフローチャートである。この第２の実施形態では、呼出回数に対して、比較判定する設定値をひとつだけで持っているのではなく、複数もっており、複数もっていることにより、伝えられる情報（メッセージ）の数も多くなる場合を示す。本例では３個の設定値を有しているとして説明する。
【００４１】
また、図５、図６は図４のフローチャートを説明するための図であり、図５は複数もっている設定値とその設定値毎のメッセージ例を示す。図６は表示例である。
【００４２】
スタート（ステップＳ４０１）から、携帯電話機１０は待ち受け状態（ステップＳ４０２）にある。他の電話からの呼出により携帯電話機１０に着信があると（ステップＳ４０３でＹ）、着信した電話番号が、携帯電話機１０の電話帳１１０に登録されているものか電話番号比較部１１３で比較（ステップＳ４０４）し、電話帳１１０に登録されている電話番号の場合は、表示部１０８にその電話番号と電話帳１１０に登録されている人の名前（被登録人名）を表示する（ステップＳ４０５）。電話帳１１０に登録されていなかった場合（ステップＳ４０４でＮ）は、電話番号のみ（或いは公衆電話、非通知などのこともある。）を表示部１０８に表示する（ステップＳ４０６）。また、呼出鳴音（或いはバイブレータの振動、ＬＥＤの点灯）が起動する（ステップＳ４０７）。次に、携帯電話機１０では呼出回数のカウントを開始する（ステップＳ４０８）
その後、発信側から切断があった場合（ステップＳ４０９でＹ）、携帯電話機１０では、呼出鳴音を停止（ステップＳ４１０）して呼出鳴音回数のカウント値Ｎを比較する（ステップＳ４１１）。発信者側からの切断がなかった（ステップＳ４０９でＮ）時は、呼出鳴音を継続する（ステップＳ４１８）。呼出鳴音回数の比較動作及びその比較結果に対応した携帯電話機１０の表示動作は以下のようになるが、本例では設定値を３個（Ｓ、Ｔ、Ｕ）持っているものとし、Ｓ＜Ｔ＜Ｕの関係があるものとする。カウント値Ｎは、順次、設定値Ｓ、Ｔ、Ｕと比較される。
【００４３】
呼出鳴音回数の比較（ステップＳ４１１）では、鳴音開始から発信者側からの切断までの鳴音回数をカウントしており、この呼出回数のカウント値Ｎが、あらかじめ呼出回数設定値記憶部１１２に設定されている設定値Ｓと比較される。カウント値Ｎが、設定値Ｓ以下（Ｎ≦Ｓ）だった場合（ステップＳ４１１でＹ）は、携帯電話機１０は、携帯電話機１０の所有者があらかじめ作成してある第１のメッセージ＃１（複数個のメッセージのうちの１個を選択）を表示する（ステップＳ４１２）。本例では図５の表に対応して、図６（ａ）のメッセージ「会社を出ます」が表示される。メッセージ６０８などを表示する表示エリア６０１があり、電波状態を示すＡＮＴバーや電池レベル表示を示すアイコン６０２、着信情報として、現在時刻６０３が表示され、着信時の状態６０４、発信者の名前６０５、発信した電話番号６０６、着信時刻６０７等が着信情報として表示される。
【００４４】
カウント値Ｎが、設定値Ｓよりも多かった（Ｎ＞Ｓ）場合（ステップＳ４１１でＮ）は、第２の設定値Ｔとの比較を行う（ステップＳ４１３）。第２の比較（ステップＳ４１３）では、カウント値Ｎが、第２の呼出回数の設定値Ｔ以下であれば（Ｓ＜Ｎ≦Ｔ）、携帯電話機１０の所有者があらかじめ作成してある第２のメッセージ＃２（複数個のメッセージのうちの１個を選択）を表示する（ステップＳ４１４）。本例では同様に図５の表に対応して、図６（ｂ）のメッセージ「遅くなります。」が表示される。メッセージ６１８などを表示する表示エリア６１１があり、電波状態を示すＡＮＴバーや電池レベル表示を示すアイコン６１２、着信情報として、現在時刻６１３が表示され、着信時の状態６１４、発信者の名前６１５、発信した電話番号６１６、着信時刻６１７等が着信情報として表示される。
【００４５】
カウント値Ｎが、第２の設定値Ｔよりも多かった（Ｎ＞Ｔ）場合（ステップＳ４１３でＮ）は、第３の設定値Ｕとの比較を行う（ステップＳ４１５）。第３の比較（ステップＳ４１５）では、カウント値Ｎが、第３の呼出回数の設定値Ｕより少なければ（Ｔ＜Ｎ≦Ｕ）、携帯電話機１０の所有者があらかじめ作成してある第３のメッセージ＃３（複数個のメッセージのうちの１個を選択）を表示する（ステップＳ４１６）。本例では同様に図５の表に対応して、図６（ｃ）のメッセージ「食事とりました。」が表示される。メッセージ６２８などを表示する表示エリア６２１があり、電波状態を示すＡＮＴバーや電池レベル表示を示すアイコン６２２、着信情報として、現在時刻６２３が表示され、着信時の状態６２４、発信者の名前６２５、発信電話番号６２６、着信時刻６２７等が着信情報として表示される。
【００４６】
カウント値Ｎが、第３の呼出回数の設定値Ｕよりも多い（Ｎ＞Ｕ）時は、メッセージは表示されない。携帯電話機１０は電話番号と名前のみを表示したまま（ステップＳ４１７）となる。
【００４７】
フローチャート上のステップＳ４０９の判断のところで、電話の呼出音が鳴っているときに、発信者側から切断がなかったら（ステップＳ４０９でＮの場合）、呼出音は鳴り続け（ステップＳ４１８）、受け側で通話開始ボタンを押し、通話開始するまで（ステップＳ４１９でＹ）鳴音し続ける。通話を開始（ステップＳ４１９でＹ）すると、通話を行い、発信側あるいは、受け側から切断して通話を終了し（ステップＳ４２１）、待ちうけ状態に戻る。
【００４８】
本例のように呼出回数の設定値の数（Ｓ、Ｔ、Ｕの３個）が多い或いは、呼出回数の設定値を多くすると、受け側で電話が掛かってきた時に受話器を取ってしまう（携帯電話の場合は通話スイッチを押す）確率が高くなるが、着信した時に表示部１０８には、発信者の名前が表示されるため受け側では表示を確認して本発明の設定をしている人からの電話であればしばらく受話器を取らないなどの工夫をする必要がある。
【００４９】
なお、電話帳１１０に登録されている電話番号毎に表示メッセージ記憶部１１１に記憶されているメッセージを表示することも可能である。
【００５０】
第３の実施形態：第３の実施形態は、第１及び第２の実施形態における着信から切断までにおける呼出回数の設定値Ｒ、Ｓ、Ｔ、Ｕが、それぞれ着信から切断までにおける呼出時間の設定値（呼出時間設定値）ｒ、ｓ、ｔ、ｕとなり、着信から切断までにおける呼出回数のカウント値Ｎが、着信から切断までにおける呼出時間のカウント値（呼出時間カウント値）ｎとなる。従って、第１及び第２の実施形態における設定値Ｒ、Ｓ、Ｔ、Ｕをそれぞれ呼出時間設定値ｒ、ｓ、ｔ、ｕに読み替え、カウント値Ｎを呼出時間カウント値ｎに読み替えればよい。
【００５１】
図７は、本発明の第３の実施形態の携帯電話機１０ａのブロック図である。メモリ１０９ａに含まれる呼出時間設定値記憶部１１２ａ、呼出時間カウント部１１５ａ、呼出時間比較部１１４ａを除き、図１と同じであり同一部分の説明を省略する。
【００５２】
呼出時間に応じてメッセージを表示する呼出時間の設定値（呼出時間設定値）を記憶する呼出時間設定値記憶部１１２ａは、着信から切断までにおける呼出時間に応じて表示メッセージ記憶部１１１に記憶されているメッセージを表示させる呼出時間設定値ｒを記憶する。呼出時間カウント部１１５ａは、着信から切断までにおける呼出時間をカウントして呼出時間カウント値ｎとする。呼出時間比較部１１４ａは、呼出時間カウント値ｎを呼出時間設定値ｒに対して比較する。この比較によって、呼出時間カウント値ｎの多少に応じてメッセージが選択されて表示される。
【００５３】
なお、電話帳１１０に登録されている電話番号毎に表示メッセージ記憶部１１１に記憶されているメッセージを表示することも可能である。さらに、呼出時間設定値記憶部１１２ａが複数個の呼出時間設定値ｓ、ｔ、ｕを記憶し、表示メッセージ記憶部１１１が複数個のメッセージを記憶し、この複数個の呼出時間設定値のそれぞれに対応させて複数個のメッセージのうちの１個を選択して表示することも可能である。
【００５４】
【発明の効果】
第１の効果は、毎日発生する決まった連絡に対しては、通話料金が発生しないため、無駄な出費を抑えられることである。
【００５５】
第２の効果は、ボタン操作も簡単であるため自動車運転時の信号待ち時間や歩きながらでもできることである。
【図面の簡単な説明】
【図１】本発明の一実施例のブロック図である。
【図２】本発明の一実施例のフローチャートである。
【図３】本発明の一実施例の画面表示例である。（ａ）は、呼出回数のカウント値Ｎが、設定値Ｒ以下だった場合（Ｎ≦Ｒ）の着信表示例である。（ｂ）は、呼出回数のカウント値Ｎが、設定値Ｒよりも多かった（Ｎ＞Ｒ）時の表示例である。
【図４】本発明の第２の実施形態のフローチャートである。
【図５】本発明の第２の実施形態の鳴音設定値とメッセージ例である。
【図６】本発明の第２の実施形態の画面表示例である。（ａ）は、メッセージ「会社を出ます」の表示である。（ｂ）は、メッセージ「遅くなります。」の表示である。（ｃ）は、メッセージ「食事とりました。」の表示である。
【図７】本発明の第３の実施形態のブロック図である。
【符号の説明】
１０、１０ａ    携帯電話機
１０１    無線部
１０２    制御部
１０３    レシーバ
１０４    マイク
１０５    スピーカ
１０６    スイッチ
１０７    表示用ドライブ回路
１０８    表示部
１０９、１０９ａ    メモリ
１１０    電話帳
１１１    表示メッセージ記憶部
１１２    呼出回数設定値記憶部
１１２ａ    呼出時間設定値記憶部
１１３    電話番号比較部
１１４    呼出回数比較部
１１４ａ    呼出時間比較部
１１５    呼出回数カウント部
１１５ａ    呼出時間カウント部
３０１    表示エリア
３０２    アイコン
３０３    現在時刻
３０４    状態
３０５    名前
３０６    電話番号
３０７    着信時刻
３０８    メッセージ
３５１    表示エリア
３５２    アイコン
３５３    現在時刻
３５４    状態
３５５    名前
３５６    電話番号
３５７    着信時刻
６０１    表示エリア
６０２    アイコン
６０３    現在時刻
６０４    状態
６０５    名前
６０６    電話番号
６０７    着信時刻
６０８    メッセージ
６１１    表示エリア
６１２    アイコン
６１３    現在時刻
６１４    状態
６１５    名前
６１６    電話番号
６１７    着信時刻
６１８    メッセージ
６２１    表示エリア
６２２    アイコン
６２３    現在時刻
６２４    状態
６２５    名前
６２６    電話番号
６２７    着信時刻
６２８    メッセージ
【図１】
2004207834.tif 000003
【図２】
2004207834.tif 000004
【図３】
2004207834.tif 000005
【図４】
2004207834.tif 000006
【図５】
2004207834.tif 000007
【図６】
2004207834.tif 000008
【図７】
2004207834.tif 000009